(57)【要約】【課題】家具と壁や床などとの間の狭いすき間に溜った塵埃を、拭き取ると同時に吸引して速やかに除去する吸込み具及びこれを備えた電気掃除機を提供する。【解決手段】電気掃除機のホースユニットに着脱可能に接続される継手部５と、継手部５と一体に形成された中空扁平でホースユニットの軸方向に長い吸込み部２とからなり、この吸込み部２は、上面２ａと下面２ｂの長手方向に所定の間隔で中空部３と連通する複数の吸込み穴６が設けられ、この吸込み穴６に沿って長手方向に布７を設けた。【選択図】図１
2010136799.tif 000002
【特許請求の範囲】
【請求項１】
電気掃除機のホースユニットに着脱可能に接続される継手部と、該継手部と一体に形成された中空扁平で前記ホースユニットの軸方向に長い吸込み部とからなり、
該吸込み部は、上面と下面の長手方向に所定の間隔で前記中空部と連通する複数の吸込み穴が設けられ、該吸込み穴に沿って長手方向に布が設けられていることを特徴とする電気掃除機用吸込み具。
【請求項２】
電気掃除機のホースユニットに着脱可能に接続される継手部と、該継手部と可撓性を有するホースで連結された中空扁平で前記ホースユニットの軸方向に長い吸込み部とからなり、
該吸込み部は、上面と下面の長手方向に所定の間隔で前記中空部と連通する複数の吸込み穴が設けられ、該吸込み穴に沿って長手方向に布が設けられていることを特徴とする電気掃除機用吸込み具。
【請求項３】
前記吸込み穴は、前記吸込み部の先端側になるほど開口面積が大きいことを特徴とする請求項１又は２記載の電気掃除機用吸込み具。
【請求項４】
前記吸込み部に、前記吸込み穴に沿って布と毛束とが設けられていることを特徴とする請求項１〜３のいずれかに記載の電気掃除機用吸込み具。
【請求項５】
前記吸込み部を、可撓性を有する材料で構成したことを特徴とする請求項１〜４のいずれかに記載の電気掃除機用吸込み具。
【請求項６】
請求項１〜５のいずれかの吸込み具を備えたことを特徴とする電気掃除機。
【発明の詳細な説明】
【技術分野】
【０００１】
本発明は、タンス、書棚、食器棚等の家具と、壁や床との間の狭いすき間などに溜った塵埃を拭き取ると同時に吸引して、速やかに除去することのできる電気掃除機用吸込み具及びこの吸込み具を備えた電気掃除機に関するものである。
【背景技術】
【０００２】
タンス、書棚、食器棚等の家具と壁や床との間のすき間、テレビ台とテレビとの間のすき間、ＯＡ機器とそれを乗せる台との間のすき間などに溜った塵埃を除去する場合は、従来、電気掃除機の補助具であるすき間ノズルをすき間に差し込んで吸い取ったり、あるいはすき間に差し込んで掃き出したりする市販の専用具を使用し、さらには、すき間にはたきを差し込んで塵埃をはたき出していた。
【０００３】
しかしながら、電気掃除機用のすき間ノズルは狭いすき間には入らず、また入るだけの幅があったとしても、すき間ノズルの吸込み口が向いたごく狭い範囲の塵埃を吸い取れるだけで、拭き取りは全くできず、掃除面全面をきれいにすることはできなかった。
【０００４】
また、市販の専用具には、すき間に差し込んで塵埃を掃き出すことのできるものがあるが、塵埃をすき間の外まで掃き出したのち、掃き出された塵埃をごみ箱にはたき落したり、電気掃除機で吸い取ったりするため手間がかかり、面倒であった。また、掃き出した塵埃が室内に舞い上るため、室内環境が悪化するおそれがあった。
さらに、はたきを使った場合は、塵埃が室内に舞い上って人が吸い込んでしまうことがあり、塵埃にはダニや花粉など、気管支喘息や皮膚炎の原因となるアレルゲンが含まれているため、衛生上問題であった。
このようなことから、すき間に溜った塵埃をきれいに除去するためには、重い家具などを移動しなければならず、大へん面倒であるばかりでなく、家具や壁、床面などを傷つけるおそれがあった。
【０００５】
このような従来の問題を解決するための吸引式掃除機の清掃補助具として、一端が開口した筒状体の先端部に連通した中空扁平部を設け、この中空扁平部の上下面のいずれか一方の面に複数の小孔を穿設してなる部材と、この部材に装着する紙、布又は不織布からなり、適宜間隔を置いて切れ目を設けた装着部材とによって構成したものがある（例えば、特許文献１参照）。
【０００６】
【特許文献１】特許第３０７０９２５号公報（第２頁、図１〜図８）
【発明の開示】
【発明が解決しようとする課題】
【０００７】
特許文献１の清掃補助具は、複数の小孔が中空扁平部材の上下面のいずれか一方の面にしか設けられていないため、家具や壁などの間のすき間を清掃する場合、一方の面だけしか掃除できないので、他方の面を掃除するときは清掃補助具を引き出して１８０°回転し、再びすき間に挿入して掃除しなければならない。このため、きわめて面倒であるばかりでなく、清掃補助具を引き出したときに他方の面に付着した塵埃が掻き出されて、室内に舞い上るおそれがある。
【０００８】
また、中空扁平部材に設けた小孔は直径が３〜７ｍｍ程度であり、このため大きな塵埃を吸い込むと目詰りするおそれがある。
さらに、部材に装着する布又は不織布は取り外して廃棄するという使い捨て方式であり、きわめて不経済である。
【０００９】
本発明は、上記の課題を解決するためになされたもので、家具と壁や床などとの間の狭いすき間に溜った塵埃を、拭き取ると同時に吸引して速やかに除去することのできる電気掃除機用吸込み具及びこの吸込み具を備えた電気掃除機を提供することを目的とするものである。
【課題を解決するための手段】
【００１０】
本発明に係る電気掃除機用吸込み具は、電気掃除機のホースユニットに着脱可能に接続される継手部と、該継手部と一体に形成された中空扁平で前記ホースユニットの軸方向に長い吸込み部とからなり、該吸込み部は、上面と下面の長手方向に所定の間隔で前記中空部と連通する複数の吸込み穴が設けられ、該吸込み穴に沿って長手方向に布が設けられたものである。
【００１１】
また、本発明に係る電気掃除機は、上記の吸込み具を備えたものである。
【発明の効果】
【００１２】
本発明によれば、家具と壁等の間の狭いすき間などに溜った塵埃を効率的に除去することができ、その上塵埃が室内に舞い上ったりすることのない衛生的で使い勝手のよい吸込み具及びこれを備えた電気掃除機を得ることができる。
【発明を実施するための最良の形態】
【００１３】
図７は本発明に係る電気掃除機用吸込み具を使用する電気掃除機の説明図である。
一般に、電気掃除機は、前面側にホース接続口１０２を有し、内部に集塵室や電動送風機（図示せず）が設けられた掃除機本体１０１と、一端に掃除機本体１０１のホース接続口１０２に着脱可能に接続される接続部１０５を有し、他端に操作部１０７を備えた手元ハンドル１０６が設けられた蛇腹状のホース１０４、手元ハンドル１０６に着脱可能に連結される延長パイプ１０８、及び延長パイプ１０８に着脱可能に連結される床用ブラシ１０９からなるホースユニット１０３とによって構成されている。
【００１４】
１は床用ブラシ１０９に代えて、延長パイプ１０８あるいは手元ハンドル１０６に着脱可能に装着され、家具と壁との間のすき間などを掃除する本発明に係る吸込み具である。
【００１５】
［実施の形態１］
図１は本発明の実施の形態１に係る電気掃除機用吸込み具の下面からみた説明図及びそのＡ−Ａ拡大断面図である。
１は電気掃除機用吸込み具（以下、単に吸込み具という）で、断面長方形で中空（以下、この中空部分を中空部３という）扁平でホースユニット１０３の軸方向に長い吸込み部２と、吸込み部２の一端に設けた円筒部４と、円筒部４の端部に設けられて電気掃除機のホースユニット１０３の延長パイプ１０８や手元ハンドル１０６に連結される円筒状の継手部５とからなり、継手部５は円筒部４を介して吸込み部２の中空部３と連通している。
【００１６】
そして、吸込み部２の上面２ａ及び下面２ｂには、長手方向に所定の間隔で、それぞれ中空部３に連通する複数の四角形の吸込み穴６が２列に設けられている。なお、この吸込み穴６の形状は、四角形に限定するものではなく、円形、楕円形等他の形状でもよい。７は吸込み部２の幅方向において、２列の吸込み穴６の間及び吸込み穴６の両側に、長手方向に沿って上面２ａ及び下面２ｂに接着剤等によって取付けた布である。
【００１７】
実施例では、吸込み部２の長さＬ：６００ｍｍ、幅Ｗ：７０ｍｍ、高さｈ：２０ｍｍで、吸込み穴６は８×１０ｍｍの長方形とし、長手方向の間隔を５０ｍｍとした。なお、これらの数値は一例を示すもので、これに限定するものではない。
【００１８】
次に、上記のように構成した吸込み具１の作用を説明する。
先ず、図７の電気掃除機の床用ブラシ１０９を延長パイプ１０８から取外し、吸込み具１の継手部５を延長パイプ１０８に接続して、その円筒部４を延長パイプ１０８の端面に突き合わせる。
次に、掃除機本体１０１に設けた電源コード（図示せず）を商用電源に接続する。ついで、手元ハンドル１０６の操作部１０７に設けた電源スイッチをＯＮして電動送風機を駆動し、図２に示すように、吸込み具１の吸込み部２を例えば家具１１０と壁１１１との間のすき間Ｇに差し込む。
【００１９】
そして、延長パイプ１０８を持って吸込み具１を差し込み方向と直交する方向、したがって、家具１１０と壁１１１の面に接触する方向に動かす。これにより、すき間Ｇに溜った塵埃や家具１１０と壁１１１の面に付着した塵埃が吸込み穴６から吸引され、中空部３、円筒部４からホースユニット１０３を通って掃除機本体１０１に送られ、集塵室に捕集される。また、同時に、家具１１０と壁１１１の面に付着した塵埃が布７によって拭き取られ、清掃される。なお上記の説明では、図７の電気掃除機に本実施の形態に係る吸込み具１を接続してすき間を掃除する場合を示したが、これに限定するものではなく、他の構造の電気掃除機によっても本実施の形態に係る吸込み具１を使用することができる（他の実施の形態においても同様である）。
【００２０】
上記の説明では、吸込み具１を差し込み方向と直交する方向に動かす場合を示したが、すき間Ｇの状態によっては、吸込み具１を前後方向あるいは上下方向に動かして掃除を行ってもよい。
また、吸込み具１を２本の延長パイプ１０８の先端に接続した場合を示したが、清掃場所の状態に応じて手元ハンドル１０６に直接接続してもよく、あるいは１本の延長パイプ１０８に接続してもよい。
【００２１】
本実施の形態によれば、吸込み具１は薄くかつ軸方向に長いため、家具などを移動することなく狭いすき間内にも差し込んで掃除をすることができるので、使い勝手がよく便利である。
また、中空で扁平な吸込み具１は、上面２ａと下面２ｂにそれぞれ中空部３に連通する吸込み穴６を設けると共に、長手方向に沿って複数の布７を設けたので、すき間の両面に付着した塵埃を一度に除去することができ、さらに、同時に拭き取ることもできるため、塵埃が室内に舞い上ることがなく、衛生的である。
【００２２】
このように、本実施の形態に係る吸込み具１によれば、狭いすき間などに溜った塵埃を短時間で効率的に除去して掃除することができ、塵埃が室内に舞い上ることもない。また、掃除が終ったときは、延長パイプ１０８等から吸込み具１を取り外して、布に付着した塵埃を洗い流すことにより繰り返えし使用することができるので、経済的である。
【００２３】
［実施の形態２］
図３は本発明の実施の形態２に係る吸込み具の下面からみた説明図である。なお、実施の形態１と同じ部分には、これと同じ符号を付してある。
本実施の形態は、吸込み具１の吸込み部２の一端に設けた円筒部４と、延長パイプ１０８等に接続される継手部５とを、可撓性を有するホース８で連結したものである。
【００２４】
従来、高所にあるすき間など、掃除機本体１０１から離れた場所を掃除しようとする場合は、例えば、重い掃除機本体１０１を片手に持ち、他方の手で延長パイプ１０８及びすき間ノズルが接続された手元ハンドル１０６を持ち、この手元ハンドル１０６をホース１０４の重量を支えながらその手を掃除面まで伸ばして掃除するという、非常に重労働できつい作業を行っていた。
【００２５】
本実施の形態においては、掃除機本体１０１を床面に置いたままの状態で円筒部４を握り、ホース８を伸ばして吸込み具１を高所のすき間に差し込み、前述の要領で掃除を行う。なお、円筒部４に取っ手をつけたり、外面に凹凸を設けたりして持ち易くすれば、作業をし易くすることができる。また、吸込み部２と円筒部４との連結部を折れ曲る構造にすれば、高い所に手を伸ばして掃除するときに、この部分を折り曲げて操作すればよいので、掃除が楽である。さらに、床面などのすき間を掃除するときも、この折り曲げ部を利用すれば、円筒部４が床面に干渉することなく、すき間の奥まで吸込み具１を差し込むことができる。
【００２６】
本実施の形態においても、実施の形態１の場合とほぼ同様の効果を得ることができるが、さらに、高い所のすき間などを掃除する場合に掃除機本体１０１を床面に置いたままで、円筒部４を握ってホース８を伸ばし、吸込み具１をすき間に差し込んで掃除をすればよいので、ホース８の重量分だけ支えればよく、楽に掃除を行うことができる。
【００２７】
［実施の形態３］
図４は本発明の実施の形態３に係る吸込み具の下面からみた説明図である。なお、実施の形態２と同一又は同じ機能の部分には、これと同じ符号を付してある。
本実施の形態は、実施の形態２の吸込み具１において、吸込み部２に設けた吸込み穴６の開口面積を、先端側になるほど大きく、円筒部４に近くなるほど小さく形成したものである。
【００２８】
本発明に係る吸込み具１においては、吸込み部２の円筒部４に近いほど吸込み穴６の外側と内側との圧力差が大きい。したがって、吸込み穴６の開口面積が同じであれば、円筒部４に近いほど吸込み流量が大きく、塵埃を多く吸い込み、吸込み部２の先端側になるほど吸込み流量が小さく、したがって塵埃の吸い込み量も少ない。このため、掃除面の手前側の塵埃はきれいに吸い込むことができるが、奥側は塵埃を十分吸い取れないことになる。
【００２９】
本実施の形態はこのような問題を解決するために、吸込み部２の先端側になるほど吸込み穴６の開口面積を大きくして、長手方向のどの吸込み穴６においても吸込み流量をほぼ等しくすることにより、清掃面全面の塵埃をムラなく吸い取って除去するようにしたものである。なお、本実施の形態は、他の実施の形態にも適用することができる。
本実施の形態によれば、実施の形態１，２とほぼ同様の効果を得ることができるが、さらに掃除面全面の塵埃をムラなく吸い取って、より確実に塵埃を除去することができる。
【００３０】
［実施の形態４］
図５は本発明の実施の形態４に係る吸込み具の下面からみた説明図、及び図５のＢ−Ｂ拡大断面図である。なお、実施の形態２と同じ部分には、これと同じ符号を付してある。
本実施の形態は、実施の形態２の吸込み具１の吸込み部２の上面２ａと下面２ｂの幅方向の両側に設けた布７に代えて、ブラシ機能を有する毛束９を取付けたものである。そして、この毛束９の高さＨ2を、吸込み部２の幅方向の中央部に設けた布７の高さＨ1より高く、Ｈ1＜Ｈ2に形成して、吸込み具１が清掃面に接触したときに、先ず毛束９が接触し、ついで布７が接触するようにした。
【００３１】
本実施の形態においては、吸込み具１をすき間に差し込んで差し込み方向と直交する方向に動かすと、掃除面に付着した塵埃が毛束９に引っ掛けられて掻き取られ、掻き取られた塵埃は吸込み穴６から吸込み具１内に吸い込まれる。
このとき、毛束９の高さＨ2は布７の高さＨ1より高いので、布７より先に毛束９が清掃面に接触して塵埃を除去し、同時に毛束９は曲げられて布７が清掃面に接触し、塵埃を拭き取る。
【００３２】
本実施の形態においても、実施の形態１，２とほぼ同様の効果を得ることができるが、さらに、清掃面に付着した塵埃を先ず毛束９で掻き取り、引続いて清掃面を布７で吹き取るようにしたので、ムラなくより確実に塵埃を除去することができる。本実施の形態は、他の実施の形態にも適用することができる。
【００３３】
［実施の形態５］
本実施の形態は、実施の形態１〜４のいずれかの吸込み具１において、吸込み部２を可撓性を有する材料で構成し、掃除するすき間の手前に突部や段差などの障害物がある場合でも、吸込み部２を弾性変形させて障害物を避け、吸込み部２をすき間に差し込むようにしたものである。
【００３４】
図６において、家具１１０と壁面１１１との間に清掃しようとするすき間Ｇが存在するが、家具１１０の手前には壁面１１１から突部１１２が突出している。このような状態においても、本実施の形態によれば、吸込み具１の吸込み部２を弾性変形させて、家具１１０と突部１１２の間からすき間Ｇに差し込んで奥まで届かせることができるので、掃除のできる範囲を拡大することができる。
【図面の簡単な説明】
【００３５】
【図１】本発明の実施の形態１に係る吸込み具の下面からみた説明図及びそのＡ−Ａ断面図である。
【図２】図１の吸込み具の作用説明図である。
【図３】実施の形態２に係る吸込み具の下面からみた説明図である。
【図４】実施の形態３に係る吸込み具の下面からみた説明図である。
【図５】実施の形態４に係る吸込み具の下面からみた説明図及びそのＢ−Ｂ断面図である。
【図６】実施の形態５に係る吸込み具の作用説明図である。
【図７】本発明に係る吸込み具を使用する電気掃除機の説明図である。
【符号の説明】
【００３６】
１  吸込み具、２  吸込み部、３  中空部、４  円筒部、５  継手部、６  吸込み穴、７  布、８  ホース、９  毛束、１０１  掃除機本体、１０３  ホースユニット。
【図１】
2010136799.tif 000003
【図２】
2010136799.tif 000004
【図３】
2010136799.tif 000005
【図４】
2010136799.tif 000006
【図５】
2010136799.tif 000007
【図６】
2010136799.tif 000008
【図７】
2010136799.tif 000009